【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
被写体を撮像し、電気的な画像データを出力する撮像手段と、
前記画像データを所定量記憶する容量を有する記憶手段と、
前記記憶手段に記憶された画像データを記録媒体に記録する記録手段と、
前記記録手段により前記画像データを前記記録媒体に記録中に、前記撮像手段から出力される画像データの画像を表示手段の第１の所定領域に表示し、前記記録媒体に記録される画像データの画像を前記表示手段の第２の所定領域に同時に表示するように制御する表示制御手段と
を有することを特徴とする撮像装置。
【請求項２】
前記記録手段は、前記記憶手段に所定量の画像データが記憶される毎、または前記記憶手段に画像データの記憶を開始してから所定時間毎に、前記画像データの記録を行うことを特徴とする請求項１に記載の撮像装置。
【請求項３】
前記表示制御手段は、前記記録手段による前記画像データの記録開始から終了までの期間に従って前記第２の所定領域への表示を行うことを特徴とする請求項１または２に記載の撮像装置。
【請求項４】
前記記録手段は、前記画像データを所定の記録期間毎に複数倍速で前記記録媒体に記録可能であって、前記表示制御手段は、前記記録媒体に記録される画像データの画像を、当該画像データの前記記録媒体への記録速度に従って高速で表示するように制御することを特徴とする請求項１乃至３のいずれか１項に記載の撮像装置。
【請求項５】
前記記録手段による記録が正常に行われているか、エラーが起きたかを判断する判断手段を更に有し、
前記表示制御手段は、前記記録手段による記録が正常に行われている場合と、エラーが起きた場合とで、前記第２の所定領域の表示が異なるように表示制御することを特徴とする請求項１乃至４のいずれか１項に記載の撮像装置。
【請求項６】
前記判断手段によりエラーが起きたと判断された場合に、前記記録手段は、記録中の画像データの記録をリトライし、
前記表示制御手段は、前記記録手段によるリトライの回数を更に表示するように制御することを特徴とする請求項５に記載の撮像装置。
【請求項７】
前記第２の所定領域は、前記第１の所定領域内にあることを特徴とする請求項１乃至６のいずれか１項に記載の撮像装置。
【請求項８】
前記第１の所定領域と前記第２の所定領域は互いに重ならないことを特徴とする請求項１乃至６のいずれか１項に記載の撮像装置。
【請求項９】
前記表示制御手段は、前記記録媒体に記録中の画像データの画像を縮小表示することを特徴とする請求項１乃至８のいずれか１項に記載の撮像装置。
【請求項１０】
被写体を撮像し、電気的な画像データを出力する撮像工程と、
前記画像データを所定量記憶する記憶工程と、
前記記憶工程で記憶された画像データを記録媒体に記録する記録工程と、
前記記録工程で前記画像データを前記記録媒体に記録中に、前記撮像工程で出力される画像データの画像を表示手段の第１の所定領域に表示し、前記記録媒体に記録される画像データの画像を前記表示手段の第２の所定領域に同時に表示するように制御する制御工程と
を有することを特徴とする撮像装置の制御方法。
【請求項１１】
情報処理装置に、請求項１０に記載の制御方法の各工程を実行させるためのプログラム。
【請求項１２】
請求項１１に記載のプログラムを格納したことを特徴とする情報処理装置が読み取り可能な記憶媒体。
【手続補正２】
【補正対象書類名】明細書
【補正対象項目名】０００３
【補正方法】変更
【補正の内容】
【０００３】
また記録媒体への書き込み処理中であることをユーザに示す手段としては、従来、記録媒体へのアクセスを示すＬＥＤの点滅手段や、表示モニター上に「書き込み処理中です」などのメッセージを表示する表示手段などが提案されている（例えば、特許文献１参照）。
【手続補正３】
【補正対象書類名】明細書
【補正対象項目名】０００７
【補正方法】変更
【補正の内容】
【０００７】
上記目的を達成するために、本発明の撮像装置は、被写体を撮像し、電気的な画像データを出力する撮像手段と、前記画像データを所定量記憶する容量を有する記憶手段と、前記記憶手段に記憶された画像データを記録媒体に記録する記録手段と、前記記録手段により前記画像データを前記記録媒体に記録中に、前記撮像手段から出力される画像データの画像を表示手段の第１の所定領域に表示し、前記記録媒体に記録される画像データの画像を前記表示手段の第２の所定領域に同時に表示するように制御する表示制御手段とを有する。
【手続補正４】
【補正対象書類名】明細書
【補正対象項目名】０００８
【補正方法】変更
【補正の内容】
【０００８】
また、本発明の撮像装置の制御方法は、被写体を撮像し、電気的な画像データを出力する撮像工程と、前記画像データを所定量記憶する記憶工程と、前記記憶工程で記憶された画像データを記録媒体に記録する記録工程と、前記記録工程で前記画像データを前記記録媒体に記録中に、前記撮像工程で出力される画像データの画像を表示手段の第１の所定領域に表示し、前記記録媒体に記録される画像データの画像を前記表示手段の第２の所定領域に同時に表示するように制御する制御工程とを有する。
【手続補正５】
【補正対象書類名】明細書
【補正対象項目名】００１４
【補正方法】変更
【補正の内容】
【００１４】
＜第１の実施形態＞
上記構成を有する撮像装置１００の本第１の実施形態における撮影及び記録動作について、図２のフローチャート及び図３を参照して説明する。なお、図３は、図２に示す撮像及び記録動作と、表示部４の表示内容との関係を説明するための図であり、図３（ａ）は撮影及び記録のタイミングを示し、図３（ｂ）〜（ｆ）は表示内容の例を示している。
【手続補正６】
【補正対象書類名】明細書
【補正対象項目名】００２０
【補正方法】変更
【補正の内容】
【００２０】
ステップＳ７では、記録媒体インターフェース６は記録メモリ１４に記憶した画像データを読み出して記録媒体７への書き込みを行うと共に、画像処理部５は、記録メモリ１４に記憶した画像データを読み出して縮小処理し、縮小処理した画像データを表示制御部３に送る。なお、記録媒体７への書き込み処理と、画像処理部５による縮小処理は、同じタイミングで行われるようにシステムコントロール部８が制御する。例えば、記録媒体インターフェース６がＮ倍速で書き込んでいる場合、記録速度と同じＮ倍速で再生するように制御する。表示制御部３は、画像メモリ１３に記憶された画像データ（ここでは、現在、画像メモリ１３に新たに記憶中の画像データ）と、画像処理部５からの縮小画像データとを画像合成し、表示部４に表示する。この時に表示部４に表示される画面の例を図３（ｃ）に示す。親画面領域２０１には、撮像期間Ｐ２で撮像されている画像が表示されると共に、親画面領域２０１内の子画面領域２０２には、記録期間Ｒ１に記録媒体７に書き込まれる画像の画像データが表示される。図３（ｃ）に示す例では、撮像期間Ｐ１で撮影し、記録メモリ１４に記憶した画像を、Ｎ倍速で記録期間Ｒ１で書き込む場合を示している。
【手続補正７】
【補正対象書類名】明細書
【補正対象項目名】００３２
【補正方法】変更
【補正の内容】
【００３２】
ステップＳ７で記録メモリ１４に記憶した画像データの記録媒体７への書き込み及び、子画面領域２０２への縮小表示処理を行い、ステップＳ２１では、記録媒体７への書き込みが正常に行われているかどうか（例えば、ＤＶＤのトラッキング外れなどの記録エラーが起きたか等）の検出を行う。エラーが無ければそのままステップＳ８に移行し、エラーがあればステップＳ２２に移行し、エラーが起きたことがユーザーに分かるように表示制御部３は子画面枠の色を変更して表示させ、ステップＳ８に移行する。例えば、エラーが起きていないときに子画面枠を白色で表示し、エラーが起きると、ステップＳ２２で、例えば、子画面枠を赤色にして表示する。図５（ａ）は、記録媒体７への画像データの書き込み期間Ｒ中にエラーが起きたことを示しており、図５（ｂ）は、エラーが起きる前の表示部４への表示内容を、図５（ｃ）は、エラーが起きた後の表示内容を示している。
【手続補正８】
【補正対象書類名】図面
【補正対象項目名】図３
【補正方法】変更
【補正の内容】
【図３】
2006080651.tif 000001